(57)【要約】【課題】  レンズ交換式のＴＴＬ位相差検出方式のオートフォーカスカメラにおいて、光源の種類によるピントずれを抑制した精度の良いオートフォーカスを実現すること。【解決手段】  ＴＴＬ位相差検出方式の焦点検出ユニット（２６）と、交換可能なレンズユニットの光の波長に応じた色収差に関する情報を取得する色収差情報取得手段（１００、１０）と、光源色に基づく色収差の補正値を記憶する記憶手段（１００）と、レンズユニットを透過した光束の内、主に可視光領域を測光する第１の測光センサ（７）と、主に可視光より長波長領域を測光する第２の測光センサ（３１）と、第１と第２の測光センサの出力差に応じて、記憶手段から補正値を取得する補正値取得手段（１００）と、色収差に関する情報と補正値とに応じて、デフォーカス量を補正する補正手段（１００）とを有する。【選択図】  図１
2006098771.tif 000002
【特許請求の範囲】
【請求項１】
着脱可能なレンズユニットを透過した光束を２系統に分割し、各光束により形成される２つの画像間の位相差に基づいてデフォーカス量を検出する焦点検出手段と、
前記レンズユニットの光の波長に応じた色収差に関する情報を取得する色収差情報取得手段と、
光源色に基づく色収差の補正値を記憶する記憶手段と、
前記レンズユニットを透過した光束の内、主に可視光領域を測光する第１の測光手段と、
前記レンズユニットを透過した光束の内、主に可視光より長波長領域を測光する第２の測光手段と、
前記第１と第２の測光手段の出力差に応じて、前記記憶手段から補正値を取得する補正値取得手段と、
前記色収差情報取得手段により取得した色収差に関する情報と、前記補正値取得手段により取得した補正値とに応じて、前記自動焦点検出手段により検出したデフォーカス量を補正する補正手段と
を有することを特徴とする焦点検出装置。
【請求項２】
複数種類のレンズユニットを着脱可能であって、請求項１に記載の焦点検出装置を有することを特徴とする撮像装置。
【請求項３】
前記色収差情報取得手段は、装着されたレンズユニットから色収差に関する情報を取得することを特徴とする請求項２に記載の撮像装置。
【請求項４】
装着されたレンズユニットの種類及びフォーカシングレンズの位置を取得するレンズ状態取得手段と、
レンズユニットの種類毎に、光の波長に応じた色収差に関する情報を記憶する第２の記憶手段とを更に有し、
前記色収差情報取得手段は、前記レンズ状態取得手段により取得した前記レンズユニットの種類及びフォーカシングレンズの位置に基づいて、前記第２の記憶手段から色収差に関する情報を取得することを特徴とする請求項２に記載の撮像装置。
【請求項５】
請求項１に記載の焦点検出装置を有する撮像装置本体と、当該撮像装置本体に着脱可能なレンズユニットとからなることを特徴とする撮像システム。
【請求項６】
前記レンズユニットは、光の波長に応じた色収差に関する情報を記憶する第２の記憶手段を有し、
前記収差情報取得手段は、装着されたレンズユニットから色収差に関する情報を取得することを特徴とする請求項５に記載の撮像システム。
【請求項７】
装着されたレンズユニットの種類及びフォーカシングレンズの位置を取得するレンズ状態取得手段と、
レンズユニットの種類毎に、光の波長に応じた色収差に関する情報を記憶する第２の記憶手段とを更に有し、
前記色収差情報取得手段は、前記レンズ状態取得手段により取得した前記レンズユニットの種類及びフォーカシングレンズの位置に基づいて、前記第２の記憶手段から色収差に関する情報を取得することを特徴とする請求項５に記載の撮像システム。
【請求項８】
撮像装置本体に装着して使用されるレンズユニットであって、
光の波長に応じた色収差に関する情報を記憶する記憶手段と、
前記装着した撮像装置本体に対して、前記色収差に関する情報を送信する送信手段と
を有することを特徴とするレンズユニット。
【発明の詳細な説明】
【技術分野】
【０００１】
本発明は、焦点検出装置、撮像装置、撮像システム及びレンズユニットに関し、詳しくはオートフォーカス時の各種光源下でのピント精度の改善に関する。
【背景技術】
【０００２】
撮像レンズを通った光束をビームスプリッタで分割して、分割した光束の光軸を互いにずらし、２つの結像レンズで焦点検出センサに結像し、２像のずれからデフォーカス量を計算し、そのデフォーカス量に応じて撮像レンズを駆動し合焦させる、いわゆるＴＴＬ（Through The Lens）位相差検出型のオートフォーカスは、銀塩及びデジタル一眼レフカメラで広く行われている。
【０００３】
他の方式のオートフォーカスとしては、撮像素子に結像される被写体像の高周波成分を抽出し、撮像レンズを駆動しながらその高周波成分がもっとも高くなる位置を合焦位置とする、いわゆるコントラスト検出方式のオートフォーカスがビデオカメラなどで広く行われている。
【０００４】
この２つのオートフォーカス方式を比較すると、位相差検出方式は２像のずれから直接にデフォーカス量を検知でき、１回の焦点検出動作で合焦させることが可能であるので、ＡＦ動作が非常に早くできるという長所があるが、撮影光束を分離するビームスプリッタや、ＡＦ結像光学系、焦点検出センサなどを撮像光学系とは別に持つ必要があるために、コストが高くなるという欠点がある。
【０００５】
一方コントラスト検出方式では、特別なＡＦ検出系を配置する必要がないので、コスト面でも有利であり、また、撮像面上で直接合焦状態の判定ができるので、ピント精度も良いと言う長所があるが、反面、位相差検出方式の様にデフォーカス量を直接に求める事ができず、撮像レンズを少しづつ動かして撮影画像の高周波成分を検出する動作を繰り返し行い、合焦位置を見つけ出す必要があるので、位相差検出方式に比べ、一般的に合焦速度が非常に遅くなるという欠点がある。
【０００６】
このため、早い合焦動作を重視する静止画の一眼レフカメラでは、ＴＴＬ位相差検出方式が広く採用されているが、前述のコストアップという問題の他に、撮像系と焦点検出系が異なることで、以下の問題が生じる。
【０００７】
撮像系の分光感度特性は一般的な銀塩フィルムの場合では、人間の目の特性に合わせた色再現性を持たせるために、通常４００〜６５０ｎｍ程度の光に対してもっとも高い感度を有している。一方ＣＭＯＳなどの撮像素子の光電変換を行うためのシリコンフォトダイオードは、一般的には８００ｎｍ程度に感度ピークを持っており、長波長側は１１００ｎｍ程度まで感度を持っているが、色再現性を重視するために、感度を犠牲にして上記周波数範囲外の波長の光はフィルター等で遮断するようにしてある。
【０００８】
一方、オートフォーカス検出用として用いられるセンサとしての光電変換素子は、同様に１１００ｎｍ程度まで感度を持っているが、低輝度下でも合焦動作を行う場合があり、また、低輝度下で合焦動作ができない場合に、カメラ側から近赤外（７００ｎｍ程度）の発光ダイオードからの光を被写体に照射するので、撮像系よりも１００ｎｍ程度長波長領域まで感度を有するようにしている。
【０００９】
図８（ａ）は撮像素子の分光感度及び、光源と補助光の分光特性を示す図であり、横軸は光の波長、縦軸は相対的エネルギー示す。同図において、Ｂ、Ｇ、Ｒは原色型撮像素子の青画素、緑画素、赤画素の各々の分光感度を示し、Ｆは蛍光灯、Ｌはフラッドランプ、Ａは前述した発光ダイオード等の補助光の分光特性を示す。また、図８（ｂ）は光の波長に対する撮像レンズの色収差による相対的なピント位置の変位を示す図であり、横軸は波長を、縦軸はピント位置の変位を示す。
【００１０】
図８（ａ）に示すように、蛍光灯には６２０ｎｍより長波長成分はほとんど含まれていないことに対し、フラッドランプでは長波長側になるほど、相対的エネルギーが強くなることが分かる。
【００１１】
一方、図８（ｂ）のラインＣから、波長に応じてピント位置の変位量が変化し、長波長側になるほど焦点距離が伸びる方向に大きくなることが分かる。
【００１２】
したがって、被写体を照明する光源が長波長成分の少ない蛍光灯の場合は、輝線ピークのある５４５ｎｍ付近が光源の分光分布の中心であるので、図８（ｂ）で示す様に、レンズの焦点距離が短くなる方向であり、長波長成分の多いフラッドランプの時は、長波長成分になる程エネルギーが高くなるのでレンズの焦点距離が伸びる方向であるので、同じ位置に被写体があったとしても、結果として撮像面側でピントがずれてしまうと言う問題が生じる。
【００１３】
この光源の分光特性により撮像系のピント位置がずれる問題に対応するために、光源の種類に応じてピント位置を補正するカメラが特許文献１、２により開示されている。
【００１４】
これらの発明では、分光感度の異なる２種類のセンサの出力を比較して光源の種類を判別し、判別した光源の種類に応じてピント位置の補正（つまり、フォーカスレンズ位置の補正）を行うことにより、光源の分光特性に起因するピントずれを補正する方法が開示されている。
【００１５】
【特許文献１】特公平１―４５８８３号公報
【特許文献２】特開２０００−２７５５１２公報
【発明の開示】
【発明が解決しようとする課題】
【００１６】
しかしながら、上記特許文献１、２で開示されている自動焦点カメラでは、色収差に対するピント位置の補正量は固定値として扱われており、それをそのままレンズ交換式のオートフォーカスカメラに適用すると、レンズの差により色収差が異なる場合にはピント補正量に過不足が生じてしまう。
【００１７】
本発明は上記問題点を鑑みてなされたものであり、レンズ交換式のＴＴＬ位相差検出方式のオートフォーカスカメラにおいて、異なるレンズを用いても、光源の種類によるピントずれを抑制した精度の良いオートフォーカスを実現することを目的とする。
【課題を解決するための手段】
【００１８】
上記目的を達成するために、本発明の焦点検出装置は、着脱可能なレンズユニットを透過した光束を２系統に分割し、各光束により形成される２つの画像間の位相差に基づいてデフォーカス量を検出する焦点検出手段と、前記レンズユニットの光の波長に応じた色収差に関する情報を取得する色収差情報取得手段と、光源色に基づく色収差の補正値を記憶する記憶手段と、前記レンズユニットを透過した光束の内、主に可視光領域を測光する第１の測光手段と、前記レンズユニットを透過した光束の内、主に可視光より長波長領域を測光する第２の測光手段と、前記第１と第２の測光手段の出力差に応じて、前記記憶手段から補正値を取得する補正値取得手段と、前記色収差情報取得手段により取得した色収差に関する情報と、前記補正値取得手段により取得した補正値とに応じて、前記自動焦点検出手段により検出したデフォーカス量を補正する補正手段とを有する。
【００１９】
また、本発明の撮像装置は、複数種類のレンズユニットを着脱可能であって、上記焦点検出装置を有する。
【００２０】
更に、本発明の撮像システムは、上記８焦点検出装置を有する撮像装置本体と、当該撮像装置本体に着脱可能なレンズユニットとからなる。
【００２１】
更に、本発明のレンズユニットは撮像装置本体に装着して使用され、光の波長に応じた色収差に関する情報を記憶する記憶手段と、前記装着した撮像装置本体に対して、前記色収差に関する情報を送信する送信手段とを有する。
【発明の効果】
【００２２】
本発明によれば、レンズ交換式のＴＴＬ位相差検出方式のオートフォーカスカメラにおいて、異なるレンズを用いても、光源の種類によるピントずれを抑制した精度の良いオートフォーカスを実現することができる。
【発明を実施するための最良の形態】
【００２３】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００２４】
図１は本発明の実施の一形態に係る、一眼レフレックスカメラと該カメラに装着される交換レンズとによって成るオートフォーカスカメラシステムの概略構成を示す図であり、ここでは主に光学的な配置関係を示している。
【００２５】
同図において、１はカメラ本体であり、その前面にはレンズユニット１１が装着される。カメラ本体１内には、光学部品、機械部品、電気回路およびフィルム又はＣＣＤ等の撮像素子などが収納され、フィルムを用いた写真撮影又は、光電変換素子による画像撮影を行うことができる。２は主ミラーであり、ファインダー観察状態では撮影光路内に斜設され、撮影状態では撮影光路外に退避する。また、主ミラー２はハーフミラーとなっており、撮影光路内に斜設されているときは、後述する焦点検出ユニット２６へ被写体からの光線の約半分を透過させる。
【００２６】
３は、ファインダー光学系を構成する、後述のレンズ１２〜１４の予定結像面に配置されたピント板であり、４はファインダー光路変更用のペンタプリズムである。５はアイピースであり、撮影者はこの窓からピント板３を観察することで、撮影画面を確認することができる。６と７はファインダー観察画面内の被写体輝度を測定するための第１の結像レンズと第１の測光センサ、３０と３１は同様に第２の結像レンズと第２の測光センサ、３２は長波長側を遮蔽する光学フィルタ、３３は可視光側を遮蔽する光学フィルタである。この第１の測光センサ７と第２の測光センサ３１は内部に公知の対数圧縮回路を持っており、その出力は対数圧縮されたものとなる。
【００２７】
８はフォーカルプレーンシャッター、９は感光部材であり、銀塩フィルム又は、ＣＣＤやＣＭＯＳ等の撮像素子が用いられる。２５はサブミラーであり、主ミラー２とともに、ファインダー観察状態では撮影光路内に斜設され、撮影状態では撮影光路外に退避する。このサブミラー２５は、斜設された主ミラー２を透過した光線を下方に折り曲げて、後述の焦点検出ユニット２６の方に導くものである。
【００２８】
２６は焦点検出ユニットであり、２次結像ミラー２７、２次結像レンズ２８、焦点検出ラインセンサ２９や後述の焦点検出回路等から構成されている。２次結像ミラー２７および２次結像レンズ２８は焦点検出光学系を構成しており、レンズユニット１１の２次結像面を焦点検出ラインセンサ２９上に形成している。この焦点検出ユニット２６はいわゆる位相差検出法によってレンズユニット１１の焦点調節状態を検出し、その検出結果をレンズユニット１１の焦点調節機構を制御する自動焦点調節装置へ送出する。
【００２９】
１０はカメラ本体１とレンズユニット１１との通信インターフェイスとなるマウント接点群である。
【００３０】
１２〜１４はレンズであり、１群レンズ（以下、フォーカシングレンズと記す）１２は光軸上を前後に移動することで撮影画面のピント位置を調整するものであり、２群レンズ１３は光軸上を前後に移動することでレンズユニット１１の焦点距離を変更し、撮影画面の変倍を行うものであり、１４は固定の３群レンズである。１５は絞りである。１６は駆動モータであり、自動焦点調節動作時にフォーカシングレンズ１２を光軸方向に前後移動させるフォーカス駆動モータである。１７は絞り１５の開口径を変化させるための絞り駆動モータである。１８は距離エンコーダーであり、フォーカシングレンズ１２に取り付けられたブラシ１９が摺動することで、該フォーカシングレンズ１２の位置を読み取り、被写体距離に相当する信号を発生する。詳しくは、距離エンコーダ１８とブラシ１９および後述するレンズマイコン１１２は、ピント調節された後のフォーカシングレンズ１２の位置を読み取り、該位置よりその時の被写体距離に換算した信号（被写体距離情報）を出力する被写体距離検出手段を構成している。
【００３１】
次に、図２を用いて、上記カメラシステムの回路構成について説明する。なお、図１と共通の構成要素には同じ符号を付している。
【００３２】
まず、カメラ本体１内の回路構成について説明する。
【００３３】
カメラマイコン１００には、焦点検出回路１０５、第１測光センサ７、第２測光センサ３１、シャッター制御回路１０７、モータ制御回路１０８および液晶表示回路１１１が接続されている。また、カメラマイコン１００は、レンズユニット１１内に配置されたレンズマイコン１１２とはマウント接点１０を介して信号伝達を行う。
【００３４】
焦点検出回路１０５は、カメラマイコン１００からの信号に従って焦点検出ラインセンサ２９の積制御と読み出し制御を行い、それぞれの画素情報をカメラマイコン１００に出力する。カメラマイコン１００はこの情報をＡ／Ｄ変換し、位相差検出法による焦点調節状態の検出を行い、レンズマイコン１１２と信号のやりとりを行うことによって、レンズユニット１１の焦点調節制御を行う。
【００３５】
シャッター制御回路１０７は、カメラマイコン１００からの信号に従ってフォーカルプレンシャッター８を構成するシャッター先幕駆動マグネットＭＧ−１およびシャッター後幕駆動マグネットＭＧ−２の通電制御を行い、シャッター先幕および後幕を走行させ、露出動作を行う。モータ制御回路１０８は、カメラマイコン１００からの信号に従ってモータＭを制御することにより、主ミラー２及びサブミラー２５のアップダウン、及びシャッターチャージなどを行う。
【００３６】
ＳＷ１は不図示のレリーズボタンの第１ストローク（半押し）操作でＯＮし、測光やＡＦ（自動焦点調節）などの撮影準備を開始させるスイッチである。ＳＷ２はレリーズボタンの第２ストローク（全押し）操作でＯＮし、シャッター走行、すなわち露光動作を開始させるスイッチである。スイッチＳＷ１及びＳＷ２、また、その他不図示の操作部材である、ＩＳＯ感度設定スイッチ、絞り設定スイッチ、シャッター速度設定スイッチなどの各スイッチの状態信号はカメラマイコン１００が読み取る。
【００３７】
液晶表示回路１１１は、ファインダー内表示器２４と外部表示器４２をカメラマイコン１００からの信号に従って制御する。
【００３８】
次に、レンズユニット１１内の電気回路構成について説明する。
【００３９】
上述したように、カメラ本体１とレンズユニット１１とはレンズマウント接点１０を介して相互に電気的に接続される。このレンズマウント接点１０は、レンズユニット１１内のフォーカス駆動用モータ１６および絞り駆動用モータ１７の電源用接点である接点Ｌ０と、レンズマイコン１１２の電源用接点Ｌ１と、シリアルデータ通信を行うためのクロック用接点Ｌ２と、カメラ本体１からレンズユニット１１へのデータ送信用接点Ｌ３と、レンズユニット１１からカメラ本体１へのデータ送信用接点Ｌ４と、モータ用電源に対するモータ用グランド接点Ｌ５と、レンズマイコン１１２用電源に対するグランド接点Ｌ６とから構成されている。
【００４０】
レンズマイコン１１２は、レンズマウント接点１０を介してカメラマイコン１００と接続され、カメラマイコン１００からの信号に応じてフォーカシングレンズ１２を駆動するフォーカス駆動モータ１６および絞り１５を駆動する絞り駆動モータ１７を動作させ、レンズユニット１１の焦点調節と絞りを制御する。５０と５１は光検出器とパルス板であり、レンズマイコン１１２がパルス数をカウントすることによりピント調節（合焦動作）時のフォーカシングレンズ１２の位置情報を得る。これにより、レンズユニット１１の焦点調節を行うことができる。
【００４１】
１８は前述した距離エンコーダーであり、ここで読み取られたフォーカシングレンズ１２の位置情報はレンズマイコン１１２に入力され、ここで被写体距離情報に変換され、カメラマイコン１００に伝達される。
【００４２】
次に、図３を用いて第１と第２の測光センサ７、３１の分光特性について説明する。
【００４３】
同図において、横軸は光の波長を示し、縦軸は、最も高い分光感度を１として正規化した分光感度を示す。Ａは第１と第２の測光センサ７、３１の分光感度特性であり、Ｂは第１の測光センサ７の前に配置される光学フィルター３２の分光感度特性であり、Ｃは第２の測光センサ３１の前に配置される光学フィルター３３の分光感度特性である。したがって、第１の測光センサ７は主に可視光領域の光を検出し、第２の測光センサ３１は主に可視外の長波長領域の光を検出することが可能である。
【００４４】
次に、上記構成のカメラシステムのオートフォーカス動作について、図４のフローチャートを用いて説明する。
【００４５】
図２で示したカメラ本体１のスイッチＳＷ１が押されると、ステップＳ１０１より動作を開始する。ここでは、カメラマイコン１００は、焦点検出回路１０５を含む焦点検出ユニット２６内の焦点検出ラインセンサ２９の電荷蓄積を行い、結像された被写体像を読み取る。
【００４６】
次のステップＳ１０２では取得した２象のずれから、公知の位相差による焦点検出方法でデフォーカス量の演算を行う。ここでは、焦点検出ラインセンサ２９上の２像のずれ（bit数）に対して、センサーピッチ[mm]とオートフォーカス系の基線長などの光学係数を掛け合わせることにより、撮影像面上でのデフォーカス量（mm）を求める。
【００４７】
次のステップＳ１０３では、第１の測光センサ７および第２の測光センサ３１の測光値を読み出し、ステップＳ１０４において第２の測光センサ３１の測光値から第１の測光センサ７の測光値を差分し、得られた差分に応じて図６のテーブルから補正係数を読み出す。
【００４８】
図６に示すデータはカメラマイコン１００の中の不図示のＲＯＭ内に記憶されており、横軸は第１と第２の測光センサ７、３１の輝度差に対応し、縦軸は両センサの輝度差に応じた補正係数を示す。図６に示す例では、たとえば第１の測光センサ７と第２の測光センサ３１との輝度差が３段である場合、補正係数は０．５となる。このように、主に長波長領域の光を検出する第２の測光センサ３１の出力が小さくなるほど、光源がより短波長領域の光を多く含んでいるため、補正係数もより大きくなる。
【００４９】
次のステップＳ１０５ではレンズマイコン１１２に対して色収差量の送信を前述のシリアル通信ラインＬＣＫ，ＬＤＯ，ＬＤＩを介してレンズマイコン１１２に対して指示する。この通信を受けてレンズマイコン１１２は通信の内容を解析し、その指令が、色収差量を問い合わせる通信であった場合は、現在の焦点距離及びフォーカス位置に応じた色収差データをマイコン１１２内の不図示のＲＯＭテーブルから読み出し、シリアル通信ラインＬＣＫ，ＬＤＯ，ＬＤＩを介してカメラマイコン１００に返送する。
【００５０】
図７は、３５〜７０ｍｍのズームレンズがレンズユニット１１としてカメラ１に取り付けられている場合に、ＲＯＭ内のテーブルに記憶されている色収差データの例であり、白昼光でのＡＦ位置に対して、短波長領域の光を多く照射する光源として代表的な蛍光灯下でのピントのずれ量（重心波長の違いによる色収差量に合致する）を示すデータであり、レンズの各焦点距離における被写体距離でのピントのずれ量を示している。このようなテーブルから焦点距離と被写体距離（フォーカシングレンズ１２の位置をエンコーダー１８で読み取ったもの）をアドレスとして、ＲＯＭ内からずれ量を読み出す。なお、図７に示すような色収差データは各交換レンズユニットがそれぞれ有しており、基本的には光学設計上決定される値であるので、ＲＯＭに固定的に記憶すればよいが、製造上の誤差を考慮して製造時にピントのずれ量を測定して、ＥＥＰＲＯＭやフラッシュＲＯＭなどの書き込み可能な記憶手段に記憶させてもよい。
【００５１】
また、ピント移動量を焦点距離と被写体位置をパラメータとした、多項式で近似させ、その多項式の係数を同様にＲＯＭまたはＥＥＰＲＯＭ、フラッシュＲＯＭなどに記憶しておき、ピントずれ量データを使用する際に、焦点距離と被写体距離を元に演算で求める様にしてもよい。
【００５２】
次のステップＳ１０６では、ステップＳ１０５で取得したレンズの色収差データに対して、ステップＳ１０４で求めた補正係数を乗じてピント補正量を演算し、ステップＳ１０７ではステップＳ１０２で求めたデフォーカス量にピント補正量を加算して、最終的なデフォーカス量を演算する。つまりデフォーカス量をｄｅｆ、色収差量をｃ、ピント補正係数をｋとすると、
最終デフォーカス量＝ｋ×ｃ＋ｄｅｆ
【００５３】
で求める事ができる。
次のステップＳ１０８ではこのデフォーカス量が所望の範囲内、たとえば（１／４）Ｆδ以内（Ｆ：レンズの絞り値、δ：定数：２０ｕｍ、したがってＦ２．０のレンズの開放絞りでは１０ｕｍ）であるならば合焦と判断し、オートフォーカス動作を終了し、１／４Ｆδより大きければ、ステップＳ１０９でこのデフォーカス量を前述のシリアル通信ラインＬＣＫ，ＬＤＯ，ＬＤＩを介してレンズマイコン１１２に対して送信し、レンズ駆動を指令する。この指令を受けてレンズマイコン１１２は、受信したデフォーカス量に応じてフォーカス駆動モータ１６の駆動方向を決定し、指令されたデフォーカス量に応じてフォーカス駆動モータを駆動し、ステップＳ１０１に戻り、合焦状態になるまで前述の動作を繰り返す。
【００５４】
ステップＳ１０８で合焦と判断されるとステップＳ１１０に移り、レリーズ開始スイッチＳＷ２の判定を行う。オンの場合は、図５のステップＳ２０１に進んで、撮影動作を行い、オフの場合はＡＦ処理を終了する。
【００５５】
次に図５を用いて撮影動作を説明する。
【００５６】
前述のオートフォーカス動作が終了し、図２のレリーズ開始スイッチＳＷ２がオン状態の場合は、ステップＳ２０１で、カメラマイコン１００は可視光側波長の光を測光する第１の測光センサ７の測光値から、被写体輝度ＢＶを求め、設定されたＩＳＯ感度ＳＶと加算して露出値ＥＶを求め、公知の方法で、絞り値ＡＶおよびシャッター速度ＴＶを算出する。なお、この測光動作は、図４のステップＳ１１０の判定前に行っても良い。
【００５７】
次のステップＳ２０２では、主ミラー２を跳ね上げて撮影光路から退避させると同時に、カメラマイコン１００はレンズマイコン１１２に対してステップＳ２０１で決定した絞り値ＡＶに絞り込む様に指示し、レンズマイコン１１２はその指令を受けて絞り１５を調節し、その後、主ミラー２が撮影光路から完全に退避するとステップＳ２０３でカメラマイコン１００はシャッター先幕駆動マグネットＭＧ−１に通電し、フォーカルプレーンシャッター８の開放動作を開始させる。
【００５８】
所定のシャッター開放時間が経過するとステップＳ２０４へ進み、カメラマイコン１００はシャッター後幕駆動マグネットＭＧ−２に通電し、フォーカルプレーンシャッター８の後幕を閉じて露出を終了しステップＳ２０５で主ミラー２をダウンさせ、撮影を終了する。
【００５９】
上記の通り、本実施の形態によれば、カメラ本体に対しレンズユニットが交換可能である場合に、レンズユニットからそのレンズユニット固有の色収差データを取得し、更に、光源色に応じた補正量を取得し、取得したレンズユニット固有の色収差データと補正量とにより、デフォーカス量を補正するため、異なるレンズユニットが装着された場合であっても、装着されたレンズユニットに適したデフォーカス量の補正を行うことが可能となる。
【００６０】
なお、上記実施の形態では、レンズユニットがレンズユニット特有の色収差データを保持する場合について説明したが、カメラ本体に装着可能なレンズユニットの種類が限られている場合には、レンズユニットの種類毎に、カメラ本体で色収差データを保持しておき、装着されたレンズユニットからはその種類とフォーシングレンズの位置とを取得することにより、対応する色収差データを読み出すようにしても良い。
【図面の簡単な説明】
【００６１】
【図１】本発明の実施の形態に係る、一眼レフレックスカメラと該カメラに装着される交換レンズとによって成るカメラシステムの概略構成を示す図である。
【図２】本発明の実施の形態に係るカメラシステムの回路構成を示すブロック図である。
【図３】本発明の実施の形態に係るカメラシステムに具備される測光センサの分光感度特性について説明するための図である。
【図４】本発明の実施の形態に係るカメラシステムの動作を示すフローチャートである。
【図５】本発明の実施の形態に係るカメラシステムの動作を示すフローチャートである。
【図６】本発明の実施の形態に係る補正係数の一例を示す図である。
【図７】本発明の実施の形態に係るレンズユニットの色収差特性の一例を示す図である。
【図８】光源と撮像素子、補助光の分光感度及び、光の波長に対するピントずれ量の一例を示す図である。
【符号の説明】
【００６２】
１      カメラ本体
６      第１の結像レンズ
７      第１の測光センサ
１１    レンズユニット
１２    フォーカシングレンズ
２６    焦点検出ユニット
２７    ２次結像ミラー
２８    ２次結像レンズ
２９    焦点検出ラインセンサ
３０    第２の結像レンズ
３１    第２の測光センサ
３２、３３  光学フィルタ
１００  カメラマイコン
１１２  レンズマイコン
【図１】
2006098771.tif 000003
【図２】
2006098771.tif 000004
【図３】
2006098771.tif 000005
【図４】
2006098771.tif 000006
【図５】
2006098771.tif 000007
【図６】
2006098771.tif 000008
【図７】
2006098771.tif 000009
【図８】
2006098771.tif 000010